(57)【要約】【課題】映像データの符号化方式を変換するときの処理負荷を軽減することができる情報処理装置を提供するを提供する。【解決手段】コンピュータ１は、デジタル放送のチューナ１２５と、映像データをＨＤＤ１１７に記録させ、ＨＤＤ１１７から映像データを読み取るインタフェース部１５５と、インタフェース部１５５がＨＤＤ１１７に記録させている映像データを、グラフィックスコントローラ１０７に出力する信号にデコードしながら、映像データの特徴を示す特徴情報を出力するビデオデコーダ１５７と、ビデオデコーダ１５７から出力された特徴情報を保存する特徴情報保存部１１７ａと、特徴情報保存部１１７ａに保存された特徴情報に基づいて、インタフェース部がＨＤＤ１１７から読み取った映像データの符号化方式を変換するビデオトランスコーダと、を備えることを特徴とする。【選択図】図４
2008252445.tif 000002
【特許請求の範囲】
【請求項１】
デジタル放送のチューナと、
前記チューナからの信号に基づく映像データを記憶媒体に記録すると共に、前記記憶媒体から映像データを読み取るインタフェース部と、
前記インタフェース部から前記記憶媒体に記録している前記映像データを、映像表示装置に出力する映像信号にデコードしながら、前記映像データの特徴を示す特徴情報を出力するビデオデコーダと、
前記ビデオデコーダから出力された前記特徴情報を保存する特徴情報保存部と、
前記特徴情報保存部に保存された前記特徴情報に基づいて、前記インタフェース部が前記記憶媒体から読み取った前記映像データの符号化方式を変換するビデオトランスコーダと、
を備えることを特徴とする情報処理装置。
【請求項２】
記憶媒体に記録されたデジタル放送の映像データを読み取るインタフェース部と、
前記インタフェース部が前記記憶媒体から読み取った前記映像データを、映像表示装置に出力する映像信号にデコードしながら、前記映像データの特徴を示す特徴情報を出力するビデオデコーダと、
前記ビデオデコーダから出力された前記特徴情報を保存する特徴情報保存部と、
前記特徴情報保存部に保存された前記特徴情報に基づいて、前記インタフェース部が前記記憶媒体から読み取った前記映像データの符号化方式を変換するビデオトランスコーダと、
を備えることを特徴とする情報処理装置。
【請求項３】
前記特徴情報は、前記映像データのビットレート配分に関する情報を含むことを特徴とする請求項１又は２に記載の情報処理装置。
【請求項４】
前記特徴情報は、前記映像データの符号化に用いられた動きベクトルに関する情報を含むことを特徴とする請求項１〜３の何れか１項に記載の情報処理装置。
【請求項５】
前記記録媒体は、ＭＰＥＧ−ＴＳ形式で映像データを記録することを特徴とする請求項１〜４の何れか１項に記載の情報処理装置。
【請求項６】
前記ビデオトランスコーダで変換された映像データを音声データと多重化する多重化手段と、
前記多重化手段で多重化されたデータをＤＶＤ−ＶＲフォーマットでＤＶＤメディアに記録するメディア記録手段を更に備えたことを特徴とする請求項１〜５の何れか１項に記載の情報処理装置。
【請求項７】
前記ビデオトランスコーダで変換された映像データを音声データと多重化する多重化手段と、
前記多重化手段で多重化されたデータをＨＤ  ＤＶＤ−ＶＲフォーマットでＨＤ  ＤＶＤメディアに記録するメディア記録手段を更に備えたことを特徴とする請求項１〜５の何れか１項に記載の情報処理装置。
【発明の詳細な説明】
【技術分野】
【０００１】
本発明は、保存したデジタル放送の映像データの符号化方式を変換する情報処理装置に関するものである。
【背景技術】
【０００２】
従来、このような分野の技術として、下記特許文献１に記載のトランスコード装置が知られている。このトランスコード装置は、入力されたデジタル信号のストリームを解析する解析部と、解析部で解析されたストリームを保存するメモリ部と、該メモリ部から読み出されたストリームをデコードし且つ復号画像を生成して出力するデコード部と、デコード部から出力された復号画像をスケーリングし第２ストリームへエンコードするエンコード部と、解析部によるストリームの解析結果を用いてエンコード部でのエンコードを制御する制御部と、エンコード部でエンコードされた第２ストリームを保存する第１記録部とを備えている。
【特許文献１】特開２００５−３１１８２２号公報
【発明の開示】
【発明が解決しようとする課題】
【０００３】
しかしながら、このトランスコード装置による映像データの符号化方式変換の際には、エンコード処理に用いる入力信号のストリーム中の各種情報を解析する処理を行っており、この解析処理の処理負荷が大きいので、このトランスコード装置におけるトランスコード処理全体の処理負荷を小さくすることができなかった。
【０００４】
そこで、本発明は、映像データの符号化方式を変換するときの処理負荷を軽減することのできる情報処理装置を提供することを目的とする。
【課題を解決するための手段】
【０００５】
本発明の情報処理装置は、デジタル放送のチューナと、チューナからの信号に基づく映像データを記憶媒体に記録すると共に、記憶媒体から映像データを読み取るインタフェース部と、インタフェース部から記憶媒体に記録している映像データを、映像表示装置に出力する映像信号にデコードしながら、映像データの特徴を示す特徴情報を出力するビデオデコーダと、ビデオデコーダから出力された特徴情報を保存する特徴情報保存部と、特徴情報保存部に保存された特徴情報に基づいて、インタフェース部が記憶媒体から読み取った映像データの符号化方式を変換するビデオトランスコーダと、を備えることを特徴とする。
【０００６】
また、本発明の情報処理装置は、記憶媒体に記録されたデジタル放送の映像データを読み取るインタフェース部と、インタフェース部が記憶媒体から読み取った映像データを、映像表示装置に出力する映像信号にデコードしながら、映像データの特徴を示す特徴情報を出力するビデオデコーダと、ビデオデコーダから出力された特徴情報を保存する特徴情報保存部と、特徴情報保存部に保存された特徴情報に基づいて、インタフェース部が記憶媒体から読み取った映像データの符号化方式を変換するビデオトランスコーダと、を備えることを特徴とする。
【発明の効果】
【０００７】
本発明の情報処理装置によれば、映像データの符号化方式を変換するときの処理負荷を軽減することができる。
【発明を実施するための最良の形態】
【０００８】
以下、図面を参照しつつ本発明に係る情報処理装置の好適な実施形態について詳細に説明する。
【０００９】
（第１実施形態）
図１に示すノートブック型パーソナルコンピュータ１は、コンピュータ本体３と、コンピュータ本体３に対して開閉自在のディスプレイユニット５とを備えている。ディスプレイユニット５には、ＴＦＴ−ＬＣＤ（Thin Film Transistor Liquid Crystal Display）７が映像表示装置として組み込まれており、そのＬＣＤ７の表示画面はディスプレイユニット５のほぼ中央に位置している。
【００１０】
ディスプレイユニット５は、コンピュータ本体３に対して開放位置と閉塞位置との間を回動自在に取り付けられている。コンピュータ本体３は、薄い箱形の筐体を有しており、その上面にはキーボード９、本コンピュータ１をパワーオン／パワーオフするためのパワーボタン１１、タッチパッド１５、クリックボタン１７及びスピーカ１９が配置されている。
【００１１】
また、コンピュータ１は、ＤＶＤ規格のＤＶＤメディアに格納されたＤＶＤＶｉｄｅｏ規格のオーディオ・ビデオ（ＡＶ）コンテンツを再生することができる。さらに、コンピュータ１は、ＤＶＤメディアに、ＡＶコンテンツを書き込むこともできる。コンピュータ本体３の正面には、ＤＶＤドライブ１１９（図２参照）に対してＤＶＤメディアを出し入れするためのスロット２１が設けられている。
【００１２】
図２に示すように、このコンピュータ１は、ＣＰＵ１０１、ノースブリッジ１０３、メインメモリ１０５、グラフィックスコントローラ１０７、ビデオメモリ（ＶＲＡＭ）１０７ａ、サウスブリッジ１０９、ＢＩＯＳ−ＲＯＭ１１１、サウンドコントローラ１１３、ハードディスクドライブ（ＨＤＤ）１１７、ＤＶＤドライブ１１９、エンベデッドコントローラ／キーボードコントローラＩＣ（ＥＣ／ＫＢＣ）１２１、ネットワークコントローラ１２３、デジタルＴＶチューナ１２５等を備えている。
【００１３】
ＣＰＵ１０１は、コンピュータ１の動作を制御するプロセッサであり、ＨＤＤ１１７からメインメモリ１０５にロードされる各種プログラムを実行する。このＣＰＵ１０１によって実行される各種プログラムとしては、オペレーティングシステム、ＤＶＤ  Ｖｉｄｅｏ規格のＡＶコンテンツを再生するＤＶＤプレーヤアプリケーションプログラム、デジタルＴＶ放送を視聴可能とするためのＴＶアプリケーション１３１等が存在する。また、ＣＰＵ１０１は、ＢＩＯＳ−ＲＯＭ１１１に格納されたＢＩＯＳ（Basic Input Output System；ハードウエア制御のためのプログラム）も実行する。
【００１４】
ノースブリッジ１０３は、ＣＰＵ１０１のローカルバスとサウスブリッジ１０９との間を接続するブリッジデバイスである。ノースブリッジ１０３には、メインメモリ１０５をアクセス制御するメモリコントローラも内蔵されている。また、ノースブリッジ１０３はＰＣＩ  ＥＸＰＲＥＳＳ規格のシリアルバスなどを介してグラフィックスコントローラ１０７との通信を実行する機能も有している。
【００１５】
グラフィックスコントローラ１０７は、コンピュータ１のディスプレイモニタとして使用されるＬＣＤ７を制御する表示コントローラである。グラフィックスコントローラ１０７は、ブレンド処理、スケーリング処理、ルーマキー処理等の画像処理機能を有している。このグラフィックスコントローラ１０７によって生成される表示信号は、ＬＣＤ７に送られる。また、表示信号は、コンピュータ本体３に設けられたインタフェースを介して外部のＴＶやＨＤＭＩモニタに送出することもできる。
【００１６】
サウスブリッジ１０９は、ＰＣＩ（Peripheral Component Interconnect）バス上の各デバイス及びＬＰＣ（Low Pin Count）バス上の各デバイスを制御する。また、サウスブリッジ１０９は、ＨＤＤ１１７、ＤＶＤドライブ１１９を制御するためのＩＤＥ（Integrated Drive Electronics）コントローラを内蔵している。更に、サウスブリッジ１０９は、サウンドコントローラ１１３との通信を実行する機能も有している。サウンドコントローラ１１３は音源デバイスであり、再生対象のオーディオデータをスピーカ１９に出力する
【００１７】
エンベデッドコントローラ／キーボードコントローラＩＣ（ＥＣ／ＫＢＣ）１２１は、電力管理のためのエンベデッドコントローラと、キーボード９、タッチパッド１５、及びクリックボタン１７を制御するためのキーボードコントローラと、が集積された１チップマイクロコンピュータである。タッチパッド１５が操作されると操作信号が生成され、この操作信号に基づいてＬＤＣ７の表示画面上に表示されたカーソルが移動する。また、このＥＣ／ＫＢＣ１２１は、ユーザによるパワーボタン１１の操作に応じてコンピュータ１をパワーオン／パワーオフする機能を有している。
【００１８】
このコンピュータ１では、前述のＴＶアプリケーション１３１をＣＰＵ１０１に実行させることにより、外部のアンテナ１５１及びチューナ１２５で受信されるデジタル放送の番組視聴、放送番組の録画、録画した放送番組データのＤＶＤメディアへの移動を行うことができる。
【００１９】
すなわち、コンピュータ１では、図３に示すように、放送番組を視聴させながら当該番組をＨＤＤ（記憶媒体）１１７に録画し（Ｓ３０２：放送番組視聴・録画処理）、その後、録画したこの放送番組データをＨＤＤ１１７からＤＶＤメディアに移動（ＭＯＶＥ）させる（Ｓ３０４：録画データ移動処理）ことも可能である。以下、上記放送番組視聴・録画処理Ｓ３０２、及び録画データ移動処理Ｓ３０４におけるコンピュータ１の処理について図４及び図５を参照し詳細に説明する。
【００２０】
〔放送番組視聴・録画処理〕
図４に示すように、放送番組の視聴・録画処理において、ＴＶアプリケーション１３１は、ＴＳ分離部１５３、インタフェース部１５５、ＭＰＥＧ−２ビデオデコーダ１５７、及びＡＡＣオーディオデコーダ１５９を備える。これらの構成要素１５３〜１５９は、ＣＰＵ１０１（図２参照）がＴＶアプリケーション１３１を実行することでソフトウエア的に実現される機能的な構成要素である。ＴＳ分離部１５３は、チューナ１２５から入力されたＭＰＥＧ−ＴＳ形式の放送データを、映像データ、音声データ等に分離する。インタフェース部１５５は、ＨＤＤ１１７へのデータの書き込みや、ＨＤＤ１１７からのデータの読み取りを行う。ビデオデコーダ１５７は、ＴＳ分離部１５３で分離された映像データをデコード（復号化）し、グラフィックスコントローラ１０７に映像信号を出力する。オーディオデコーダ１５９は、ＴＳ分離部１５３で分離された音声データをデコードし、サウンドコントローラ１１３に音声信号を出力する。
【００２１】
まず、放送番組を視聴させる処理において、コンピュータ１外部のアンテナ１５１に接続されたチューナ１２５は、デジタル放送波に基づくＭＰＥＧ−ＴＳ形式の放送データをＴＳ分離部１５３に出力する。ＴＳ分離部１５３は、入力された放送データから映像データと音声データとを分離し、当該映像データ及び音声データを、それぞれ、ビデオデコーダ１５７及びオーディオデコーダ１５９に出力する。ビデオデコーダ１５７は、入力された映像データをグラフィックスコントローラ（映像表示装置）１０７に適合する映像信号にデコードし、グラフィックスコントローラ１０７に出力する。一方、オーディオデコーダ１５９は、入力された音声データをデコードし、音声信号をサウンドコントローラ１１３に出力する。
【００２２】
このように、ＬＣＤ７に放送映像を表示するためには、映像データをビデオデコーダ１５７でデコード処理することが必須である。従って、視聴される番組のすべての映像データは、ビデオデコーダ１５７によるデコード処理が施され、ビデオデコーダ１５７では、視聴に係る番組のすべての映像データについて、当該映像データの特徴に関する情報（以下「特徴情報」という）を取得することができる。この「特徴情報」としては、映像データのデータビットがどこのフレームにどの程度ずつ割り当てられているか（ビットレート配分）といった情報や、映像データの符号化に用いられた動きベクトルの情報が含まれる。このような特徴情報は、後に行われるトランスコード処理に利用することができるので、ビデオデコーダ１５７は、前述のデコード処理を行いながら、番組のすべての映像データに係る特徴情報をＨＤＤ１１７の特徴情報保存部１１７ａに記録する。
【００２３】
そして、グラフィックスコントローラ１０７が、上記ビデオデコーダ１５７からの映像信号に基づいてＬＣＤ（映像表示装置）７に放送映像を表示させ、サウンドコントローラ１１３が、オーディオデコーダ１５９からの音声信号に基づいてスピーカ１９に放送音声を出力させる。以上のような処理により、コンピュータ１がユーザに放送番組を視聴させる。
【００２４】
また、上記番組の視聴中に行われる当該番組の録画処理では、ＴＳ分離部１５３がチューナ１２５から入力されるＭＰＥＧ−ＴＳ形式の放送データを、ＡＲＩＢ（Association of Radio Industries and Businesses）規格で規定されたパーシャルＴＳ形式に変換する。そして、インタフェース部１５５がＴＳ分離部１５３からの変換データを、パーシャルＴＳ形式でＨＤＤ１１７に記録し、放送番組がＨＤＤ１１７に録画される。
【００２５】
このような録画処理を、前述の番組視聴処理と同時に並行して行うことで、コンピュータ１は、ユーザに放送番組を視聴させながら、当該放送番組をＨＤＤ１１７に録画する。
【００２６】
〔録画データ移動処理〕
ＴＶアプリケーション１３１では、前述の通り、上記放送番組視聴・録画処理でＨＤＤ１１７に録画された放送番組データを、ＤＶＤメディアに移動することができる。この場合、デジタル放送の放送データとＤＶＤメディアに格納されるデータとでは、符号化方式が異なるので、放送番組データを移動させるときにはトランスコード（符号化方式変換）処理が必要である。
【００２７】
図５に示すように、この録画データ移動処理において、ＴＶアプリケーション１３１は、インタフェース部１５５、ＴＳ分離部１６３、ビデオトランスコーダ１６５、オーディオトランスコーダ１６７、ＶＲ多重化部１６９を備える。これらの構成要素１５５，１６３〜１６９は、ＣＰＵ１０１（図２参照）がＴＶアプリケーション１３１を実行することでソフトウエア的に実現される機能的な構成要素である。
【００２８】
ＴＳ分離部１６３は、インタフェース部１５５によりＨＤＤ１１７から読み出された放送番組データを、映像データと音声データとに分離する。ビデオトランスコーダ１６５は、ＴＳ分離部１５３で分離された映像データを、ＤＶＤに格納させるための符号化方式にトランスコードする。オーディオトランスコーダ１６７は、ＴＳ分離部１６３で分離された映像データを、ＤＶＤに格納させるための符号化方式にトランスコードする。ＶＲ多重化部１６９は、ビデオトランスコーダ１６５及びオーディオトランスコーダ１６７でそれぞれトランスコードされた映像データ及び音声データを、再び多重化する。
【００２９】
この録画データ移動処理において、まず、インタフェース部１５５は、パーシャルＴＳ形式で保存された放送番組データをＨＤＤ１１７から読み出す。ＴＳ分離部１６３は、読み出された放送番組データを映像データと音声データとに分離し、それぞれ、ビデオトランスコーダ１６５及びオーディオトランスコーダ１６７に出力する。ビデオトランスコーダ１６５は、入力されたＨＤ解像度のＭＰＥＧ−２  Ｖｉｄｅｏ形式の映像データを、ＤＶＤメディアに格納可能な別の符号化方式にトランスコードし、ＶＲ多重化部１６９に出力する。ここで、トランスコードされる別の符号化方式としては、ビットレート変換したＨＤ解像度のＭＰＥＧ−２  Ｖｉｄｅｏ方式、ＳＤ解像度のＭＰＥＧ−２  Ｖｉｄｅｏ方式、又はＨ．２６４方式が採用される。一方、オーディオトランスコーダ１６７は、入力された音声データをＡＡＣ形式のデータにトランスコードし、トランスコード後の音声データをＶＲ多重化部１６９に出力する。
【００３０】
ＶＲ多重化部１６９は、入力された映像データ及び音声データを再び多重化して、ＤＶＤドライブ１１９に出力する。そして、ＤＶＤドライブ（メディア記録手段）１１９には放送番組データの移動先としてＤＶＤメディア１１９ａが挿入されており、ＤＶＤドライブ１１９はこのＤＶＤメディア１１９ａに、ＤＶＤ−ＶＲフォーマットで放送番組データを記録する。
【００３１】
ここで、上記ビデオトランスコーダ１６５は、通常、入力された映像データをデコード（復号化）するデコード部１６５ａと、デコードされた映像データを異なる方式で再びエンコード（符号化）するエンコード部１６５ｂとが直列接続されて構成される。このエンコード部１６５ｂでは、ＭＰＥＧ−２  Ｖｉｄｅｏ方式、又はＨ．２６４方式のエンコード処理を行うことになる。そして、通常であれば、エンコード部１６５ｂは、処理中のある時点までに入力された映像データに関する情報を利用して、その時点までのエンコードデータについてビット配分を行うといったエンコード処理を行うことになる。
【００３２】
従って、例えば、ある時点までのビット配分が決定された後に動きが激しい映像等が存在すると、その時点の後の映像データに割り当てるビット量が不足し画質が低下してしまうといったことが発生する。エンコード処理においてビットレート配分を適切に行うためには、一旦、トランスコード処理に係る放送番組データのすべての映像データをデコードすることで、放送番組データ全体についての映像の動きの激しさ等をエンコード処理の前に知る必要がある。エンコード処理の前にそのような特徴情報を得ようとすれば、放送番組データ中の全映像データを一旦すべてデコードするといった２パスエンコード方式を採用することも考えられる。ところが、２パスエンコード方式の場合、ビデオトランスコーダ１６５の処理負荷が大きくなり、トランスコード処理にかかる処理時間も大きくなってしまう。特に、映像トランスコード用の専用チップを持たない通常のコンピュータ１は、ビデオトランスコーダ１６５をソフトウエア的に実現しているので、トランスコード処理の負荷を極力抑えることが望まれる。
【００３３】
そこで、この録画データ移動処理においては、前述の放送番組視聴・録画処理で既に取得済の特徴情報を利用することとしている。前述したように、ＨＤＤ１１７の特徴情報保存部１１７ａには、トランスコード処理しようとする番組の映像データの特徴情報が、先の視聴中に取得されて保存されている。そして、この特徴情報には、前述の通り、トランスコード処理しようとする当該番組の映像データ全体についてのビットレート配分及び動きベクトルの情報が含まれている。
【００３４】
具体的な処理として、ビデオトランスコーダ１６５は、ＨＤＤ１１７の特徴情報保存部１１７ａから、トランスコード処理に係る番組の上記特徴情報を読み出し、当該番組の映像データ全体のビットレート配分を取得する。そして、エンコード部１６５ｂは、ＴＳ分離部１６３から順次入力される映像データをエンコードする際に、取得した上記ビットレート配分と同じ配分でビットを割り当てながらエンコードデータを生成していく。従って、最終的に、ビデオトランスコーダ１６５では、変換前の放送データのビットレート配分と同様のビットレート配分を示すエンコードデータが得られる。その結果、エンコードデータ全体に使用可能なデータビットが、番組全体に亘って適切に配分され、番組全体に亘って画質を平均化することができる。また、このような適切なビットレート配分を達成するために、前述の２パスエンコード方式を用いる必要がないので、ビデオトランスコーダ１６５の処理負荷を軽減することができる。
【００３５】
また、トランスコード処理において、ビデオトランスコーダ１６５は、読み出した上記特徴情報を参照して映像データの各フレーム間の動きベクトルを取得する。そして、ビデオトランスコーダ１６５のエンコード部１６５ｂは、取得した上記動きベクトルを「動き補償予測」に適用してデータ圧縮を行いながら、順次符号化を行っていく。本来であれば、動き補償予測に適用する動きベクトルは、ビデオトランスコーダ１６５内でトランスコード時に算出されるべきところであるが、既に視聴時に得られている特徴情報の動きベクトルを利用することにより、動きベクトル算出の処理負荷が軽減され、その結果、ビデオトランスコーダ１６５の処理負荷が軽減される。
【００３６】
なお、コンピュータ１のメディア記録手段としては、ＤＶＤドライブ１１９に代えて、ＨＤ  ＤＶＤドライブを採用してもよい。この場合、ＨＤ  ＤＶＤドライブには、上記放送番組データの移動先としてＨＤ  ＤＶＤメディアが挿入され、ＨＤ  ＤＶＤ−ＶＲフォーマットで放送番組データが記録される。
【００３７】
（第２実施形態）
上記コンピュータ１ではＴＶアプリケーション１３１の実行によって、図６に示すように、放送番組をＨＤＤ１１７に一旦録画し（Ｓ６０２：放送番組録画処理）、その後、ＨＤＤ１１７に録画した上記放送番組データを視聴させ（Ｓ６０４：録画番組視聴処理）、その後、録画したこの放送番組データをＨＤＤ１１７からＤＶＤメディアに移動させる（Ｓ６０６：録画データ移動処理）ことも可能である。以下、この放送番組録画処理Ｓ６０２、録画番組視聴処理Ｓ６０４、及び録画データ移動処理Ｓ６０６におけるコンピュータ１の処理について、図７を参照し詳細に説明する。なお、この実施形態において、第１実施形態で示した構成要素と同一又は同等な構成については、図面に同一符号を付し、その説明は省略する。
【００３８】
〔放送番組録画処理〕
図７に示すように、放送番組録画処理において、ＴＶアプリケーション１３１は、第１ＴＳ分離部２５１、第２ＴＳ分離部２５３、インタフェース部１５５、ＭＰＥＧ−２ビデオデコーダ１５７、及びＡＡＣオーディオデコーダ１５９を備える。これらの構成要素２５１，２５３，１５５〜１５９は、ＣＰＵ１０１（図２参照）がＴＶアプリケーション１３１を実行することでソフトウエア的に実現される機能的な構成要素である。
【００３９】
放送番組録画処理において、第１ＴＳ分離部２５１は、チューナ１２５からのＭＰＥＧ−ＴＳ形式の放送データを、パーシャルＴＳ形式に変換する。そして、インタフェース部１５５が第１ＴＳ分離部２５１からの変換データを、パーシャルＴＳ形式でＨＤＤ１１７に記録し、放送番組がＨＤＤ１１７に録画される。
【００４０】
〔録画番組視聴処理〕
録画された上記番組を視聴させる処理においては、インタフェース部１５５が、ＨＤＤ１１７に録画された放送番組データを読み出す。そして、第２ＴＳ分離部２５３は、読み出された放送データから映像データと音声データとを分離し、当該映像データ及び音声データを、それぞれ、ビデオデコーダ１５７及びオーディオデコーダ１５９に出力する。その後、前述の第１実施形態における放送番組視聴・録画処理と同様の処理を経て、ＬＣＤ７から放送映像を出力し、スピーカ１９から放送音声を出力する。また、このとき、ビデオデコーダ１５７は、デコード処理を行いながら、当該デコード処理に係る映像データの特徴情報をＨＤＤ１１７の特徴情報保存部１１７ａに記録する。
【００４１】
〔録画データ移動処理〕
この録画データ移動処理は、前述の第１実施形態の録画データ移動処理（図５参照）と同様に行われる。すなわち、視聴中にＨＤＤ１１７の特徴情報保存部１１７ａに記録された特徴情報を、第１実施形態と同様に利用しながらビデオトランスコーダ１６５での処理が行われるので、同様に、ビデオトランスコーダ１６５の処理負荷を軽減することができる。
【図面の簡単な説明】
【００４２】
【図１】本発明の一実施形態に係るコンピュータを示す斜視図である。
【図２】図１のコンピュータのシステム構成を示すブロック図である。
【図３】図１のコンピュータで実行されるＴＶアプリケーションの処理を示すフローチャートである。
【図４】ＴＶアプリケーション実行中における図１のコンピュータの構成要素を示すブロック図である。
【図５】ＴＶアプリケーション実行中における図１のコンピュータの構成要素を示すブロック図である。
【図６】図１のコンピュータで実行されるＴＶアプリケーションの処理を示すフローチャートである。
【図７】ＴＶアプリケーション実行中における図１のコンピュータの構成要素を示すブロック図である。
【符号の説明】
【００４３】
１…コンピュータ（情報処理装置）、７…ＬＣＤ（映像表示装置）、１０７…グラフィックスコントローラ（映像表示装置）、１１７…ＨＤＤ（記憶媒体）、１１７ａ…特徴情報保存部、１１９…ＤＶＤドライブ（メディア記録手段）、１２５…チューナ、１５５…インタフェース部、１５７…ビデオデコーダ、１６５…ビデオトランスコーダ、１６９…ＶＲ多重化部（多重化手段）。
【図１】
2008252445.tif 000003
【図２】
2008252445.tif 000004
【図３】
2008252445.tif 000005
【図４】
2008252445.tif 000006
【図５】
2008252445.tif 000007
【図６】
2008252445.tif 000008
【図７】
2008252445.tif 000009